(57)【要約】【課題】  靴を履いて歩行しない状態では、靴内部の臭いを十分に低減させることができなかった。また、靴内部の臭い度を所定の臭い度以下に、自動的に低減させることができなかった。【解決手段】  靴内部空間１１ｄに両開口部１６ｊ、１６ｋが開口する空気流通路１０１と、空気流通路１０１の空気を両開口部１６ｊ、１６ｋのどちらかに送風する送風機２７と、送風機２７によって送風される空気に芳香を付与する芳香付与剤２４、消臭剤３４、脱臭剤３５のうち、少なくとも１つとを備えた。また、靴内部臭い度Ｓ１を検出する臭いセンサ３０を備え、靴内部臭い度Ｓ１が設定臭い度ＳＳ以上の場合および設定臭い度ＳＳを超える場合のいずれか一方の場合にのみ、送風機２７を作動させるようにした。【選択図】        図１
2007300946.tif 000002
【特許請求の範囲】
【請求項１】
足（２００）を挿入する挿入口（１１ａ）を有する靴であって、
靴内部空間（１１ｄ）に開口する第１の開口部（１６ｊ、１６ｒ）および第２の開口部（１６ｋ、１６ｓ）を備えて靴の適宜位置を空気が流通する空気流通路（１０１、１０４）が形成されており、
前記空気流通路（１０１、１０４）内および前記靴内部空間（１１ｄ）内のうち、少なくとも一方において空気の臭いを低減する臭い低減手段を備えており、
さらに、前記空気流通路（１０１、１０４）内の空気を前記第１の開口部（１６ｊ、１６ｒ）側および前記第２の開口部（１６ｋ、１６ｓ）側のどちらか一方から他方に送風する送風手段（２７）と、
前記送風手段（２７）を作動させる電源装置（２５）とを備えており、
前記臭い低減手段は、芳香を付与する芳香付与手段（２４）と、消臭手段（３４、３５）のうち、少なくとも１つにより構成されていることを特徴とする臭い低減靴。
【請求項２】
前記靴内部空間（１１ｄ）を形成する靴内側表面（１０２）に、前記足（２００）が挿入された際に、前記足（２００）に隙間（１６ｈ、１８ｄ）を有して空気を配風する配風溝（１６ｅ、１８ｃ）が形成されており、
前記配風溝（１６ｅ、１８ｃ）に、前記第１の開口部（１６ｊ、１６ｒ）および前記第２の開口部（１６ｋ、１６ｓ）が開口していることを特徴とする請求項１に記載の臭い低減靴。
【請求項３】
前記隙間（１６ｈ、１８ｄ）が、前記挿入口（１１ａ）手前まで形成されていることを特徴とする請求項２に記載の臭い低減靴。
【請求項４】
足（２００）を挿入する挿入口（１１ａ）を有する靴であって、
靴内部空間（１１ｄ）に一端が開口し、他端が外気に開口して空気が流通する空気流通路（１０３）が形成されており、
前記空気流通路（１０３）内および前記靴内部空間（１１ｄ）内のうち、少なくとも一方において空気の臭いを低減する臭い低減手段を備えており、
さらに、前記空気流通路（１０３）内の空気を前記一端側および前記他端側のどちらか一方から他方に送風する送風手段（２７）と、
前記送風手段（２７）を作動させる電源装置（２５）とを備え、
前記臭い低減手段は、芳香を付与する芳香付与手段（２４）と、消臭手段（３４、３５）のうち、少なくとも１つにより構成されていることを特徴とする臭い低減靴。
【請求項５】
前記空気流通路（１０３）の一端側が前記靴内部空間（１１ｄ）に開口する靴内開口部（１６ｎ）で構成され、前記空気流通路（１０３）の他端側が前記外気に開口する外気開口部（１４ｂ）で構成されていることを特徴とする請求項４に記載の臭い低減靴。
【請求項６】
前記靴内部空間（１１ｄ）を形成する靴内側表面（１０２）に、前記足（２００）が挿入された際に、前記足（２００）に隙間（１６ｈ、１８ｄ）を有して空気を配風する配風溝（１６ｅ、１８ｃ）が形成されており、
前記配風溝（１６ｅ、１８ｃ）に、前記靴内開口部（１６ｎ）が開口していることを特徴とする請求項５に記載の臭い低減靴。
【請求項７】
前記空気流通路（１０３）とは別に、第２の空気流通路（１０５）が形成されており、
前記第２の空気流通路（１０５）は、一端側が前記靴内部空間（１１ｄ）に開口する第２の靴内開口部（１６ｔ）で構成され、他端側が前記外気に開口する第２の外気開口部（１５ｈ）で構成されていることを特徴とする請求項４に記載の臭い低減靴。
【請求項８】
前記靴内部空間（１１ｄ）を形成する靴内側表面（１０２）に、前記足（２００）が挿入された際に、前記足（２００）に隙間（１６ｈ、１８ｄ）を有して空気を配風する配風溝（１６ｅ、１８ｃ）が形成されており、
前記配風溝（１６ｅ、１８ｃ）に、前記靴内開口部（１６ｎ）および前記第２の靴内開口部（１６ｔ）が開口していることを特徴とする請求項７に記載の臭い低減靴。
【請求項９】
前記隙間（１６ｈ、１８ｄ）が、前記挿入口（１１ａ）まで形成されていることを特徴とする請求項６乃至請求項８のいずれか１つに記載の臭い低減靴。
【請求項１０】
前記靴内部空間（１１ｄ）の靴内部臭い度（Ｓ１）を検出する靴内部臭い度検出手段（３０）と、
前記靴内部臭い度検出手段（３０）により検出される前記靴内部臭い度（Ｓ１）と、所定の臭い度（ＳＳ）との比較結果に基づいて前記送風手段（２７）の作動および停止のどちらか一方をさせる制御手段（２９ａ）とを備えており、
前記制御手段（２９ａ）は、前記靴内部臭い度（Ｓ１）が前記所定の臭い度（ＳＳ）以上の場合および前記所定の臭い度（ＳＳ）を超える場合のいずれか一方の場合にのみ、前記送風手段（２７）を作動させるように制御する機能を有していることを特徴とする請求項１乃至請求項９のいずれか１つに記載の臭い低減靴。
【請求項１１】
前記靴内部臭い度（Ｓ１）が前記所定の臭い度（ＳＳ）以下および前記所定の臭い度（ＳＳ）未満のいずれか一方であっても、送風する機能を有していることを特徴とする請求項１０に記載の臭い低減靴。
【請求項１２】
前記所定の臭い度（ＳＳ）が、下限臭い度および上限臭い度の範囲で構成されており、
前記制御手段（２９ａ）は、少なくとも、前記靴内部臭い度（Ｓ１）が前記上限臭い度以上の場合および前記上限臭い度を超える場合のいずれか一方の場合には、前記送風手段（２７）を作動させるように制御し、少なくとも、前記靴内部臭い度（Ｓ１）が前記下限臭い度以下の場合および前記下限臭い度未満の場合のいずれか一方の場合には、前記送風手段（２７）を停止させるように制御する機能を有していることを特徴とする請求項１１に記載の臭い低減靴。
【請求項１３】
前記所定の臭い度（ＳＳ）を入力する入力手段（ＳＷ７、ＳＷ８）と、
前記入力手段（ＳＷ７、ＳＷ８）によって入力された前記所定の臭い度（ＳＳ）を表示する所定臭い度表示手段（ＤＰ１）と、
前記靴内部臭い度（Ｓ１）を表示する靴内部臭い度表示手段（ＤＰ２）とを備えたことを特徴とする請求項１０乃至請求項１２のいずれか１つに記載の臭い低減靴。
【請求項１４】
前記空気流通路（１０３）の両端のうち、前記一端側から前記他端側に送風する排気モード（Ｍ３、Ｍ４）と、前記他端側から一端側に送風する送風モード（Ｍ５、Ｍ６）とを有しており、
前記排気モード（Ｍ３、Ｍ４）と前記送風モード（Ｍ５、Ｍ６）とを選択するモード選択手段（ＳＷ６）を備えていることを特徴とする請求項４乃至請求項１３のいずれか１つに記載の臭い低減靴。
【請求項１５】
前記空気流通路（１０１、１０３、１０４、１０５）を遮蔽する遮蔽手段を備えていることを特徴とする請求項１乃至請求項１４のいずれか１つに記載の臭い低減靴。
【発明の詳細な説明】
【技術分野】
【０００１】
本発明は、臭気を他の香り等でマスキングする（包み隠す）靴、および消臭する靴の少なくとも一方の靴に関するもので、靴の臭い制御に適用して有効である。
【背景技術】
【０００２】
従来の靴（例えば革靴、スニーカー、ブーツ等）は通気性、換気性が悪く、特に夏場は足の発汗作用により靴内部の温度、湿度が上昇して不快に感じる足蒸れの問題と、靴内部空間が臭くなる悪臭の問題があった。
【０００３】
このうち、靴内部空間が臭くなる原因は、足部から発散される汗や、足部の角質から溶け出したアミノ酸、皮脂が、足部表面のバクテリアにより、臭みのあるイソ吉草酸、イソ酪酸等に分解されることによるものである。また、カビの一種である水虫菌の繁殖も足が臭くなる原因の１つである。上記バクテリア、水虫菌は、通気性、換気性が悪い靴では、靴内部において、高温、多湿な状態が維持され、急速に繁殖する。
【０００４】
そこで、スリッパ本体の収納部に芳香を付与する芳香剤を配置し、かつ上記収納部と外気とを連通する孔を設け、歩行時の収納部の収縮を利用して芳香剤が放出された空気を出入りさせることにより、芳香を放って臭さを低減させるものが出願されている。（例えば特許文献１）。
【０００５】
また、靴の底部を形成する凹状の緩衝吸収部と、足裏を支持する足裏対応部材の隙間にクッション部材を内装し、このクッション部材に消臭材、芳香剤、抗菌剤等を含浸させるとともに、上記隙間と外気との間を通気する通気部を上記足裏対応部材に設けたものが実用新案登録されている（例えば特許文献２）。
【０００６】
また、一端が靴底に開口し、他端が外気に開口する空気流路を設け、この空気流路の途中に、モータファンを配置して電気で駆動させ、外気を靴内部に送風するようにすることで、高温、多湿で、悪臭を伴った空気を排除し、バクテリア、水虫菌が繁殖しないようにして、足、靴内部の臭いを押さえるようにしたものが出願されている（例えば特許文献３）。
【０００７】
【特許文献１】特開２００２−３１５６０２号公報
【特許文献２】実用新案第３００９５３４号公報
【特許文献３】特開２００２−３４６０３号公報
【発明の開示】
【発明が解決しようとする課題】
【０００８】
しかし、上記特許文献１では、歩行時の収納部の収縮を利用して芳香剤を放出するため、長時間、椅子に座って仕事をする場合、電車のシートに腰掛けている場合など、歩行していない場合には機能せず、足部の臭さを消すことが困難であった。その上、上記特許文献１では、靴内または外気に放出する空気を所定臭さ以下に、自動的に低減させる機能を有していなかった。
【０００９】
また、上記特許文献２では、クッション部材に含浸させた消臭材、芳香剤、抗菌剤によって消臭された空気、あるいは芳香を付与された空気、あるいは抗菌された空気が、通気部を出入りするものの、大部分は、歩行によってなされるもので、歩行していない場合には上記消臭作用が弱く、足部の臭さを消すことが困難であった。また、上記特許文献１と同様に、靴内または外気に放出する空気を所定臭さ以下に、自動的に低減させる機能を有していなかった。
【００１０】
さらに、上記特許文献３では、空気を積極的に足裏部に送風するようにできるが、芳香剤、消臭剤を使用していないので、換気のみで足部の臭さを十分に消すことが困難であった。また、上記特許文献１、特許文献３と同様に、靴内または外気に放出する空気を所定臭さ以下に、自動的に低減させる機能を有していなかった。
【００１１】
そこで、本発明は上記点に鑑み、靴を履いて歩行しない状態でも靴内の臭いを十分に低減させる臭い低減靴を提供することを目的とする。
【００１２】
また、本発明は上記点に鑑み、靴内の臭いを所定臭さ以下に、自動的に低減させる臭い低減靴を提供することを他の目的とする。
【課題を解決するための手段】
【００１３】
本発明は、上記目的を達成するために、請求項１に記載の発明では、足（２００）を挿入する挿入口（１１ａ）を有する靴であって、
靴内部空間（１１ｄ）に開口する第１の開口部（１６ｊ、１６ｒ）および第２の開口部（１６ｋ、１６ｓ）を備えて靴の適宜位置を空気が流通する空気流通路（１０１、１０４）が形成されており、
空気流通路（１０１、１０４）内および靴内部空間（１１ｄ）内のうち、少なくとも一方において空気の臭いを低減する臭い低減手段を備えており、
さらに、空気流通路（１０１、１０４）内の空気を第１の開口部（１６ｊ、１６ｒ）側および第２の開口部（１６ｋ、１６ｓ）側のどちらか一方から他方に送風する送風手段（２７）と、
送風手段（２７）を作動させる電源装置（２５）とを備えており、
臭い低減手段は、芳香を付与する芳香付与手段（２４）と、消臭手段（３４、３５）のうち、少なくとも１つにより構成されていることを特徴とする。
【００１４】
これによれば、電源装置（２５）によって送風手段（２７）が作動すると、空気流通路（１０１、１０４）内の空気が、第１の開口部（１６ｊ、１６ｒ）側および第２の開口部（１６ｋ、１６ｓ）側のどちらか一方から他方に送風される。その際、排出された空気は靴内部空間（１１ｄ）を経由して、再び空気流通路（１０１、１０４）内に吸い込まれる。すなわち、上記構成によれば、空気流通路（１０１、１０４）と靴内部空間（１１ｄ）の間で、空気が循環するように送風される。
【００１５】
そして、空気流通路（１０１、１０４）内および靴内部空間（１１ｄ）内のうち、少なくとも一方において空気の臭いを低減する臭い低減手段を備えているので、循環する空気に芳香が付与され防臭される、あるいは、上記空気が消臭される。
【００１６】
したがって、靴内部空間（１１ｄ）に悪臭があっても、空気が循環するように送風がなされ、その途中で芳香が付与され防臭する、あるいは消臭をすることができ、靴内部空間（１１ｄ）の臭いを低減することができる。
【００１７】
また、本発明では、電源装置（２５）によって送風手段（２７）を作動させているので、歩行時でなくとも、靴内部空間（１１ｄ）の臭いをを低減することができる。
【００１８】
請求項２に記載の発明では、請求項１において、靴内部空間（１１ｄ）を形成する靴内側表面（１０２）に、足（２００）が挿入された際に、足（２００）に隙間（１６ｈ、１８ｄ）を有して空気を配風する配風溝（１６ｅ、１８ｃ）が形成されており、
配風溝（１６ｅ、１８ｃ）に、第１の開口部（１６ｊ、１６ｒ）および第２の開口部（１６ｋ、１６ｓ）が開口していることを特徴とする。
【００１９】
これによれば、足（２００）に隙間（１６ｈ、１８ｄ）を有して空気を配風する配風溝（１６ｅ、１８ｃ）が形成されているので、足（２００）によって第１の開口部（１６ｊ、１６ｒ）および第２の開口部（１６ｋ、１６ｓ）が塞がれない。その結果、第１の開口部（１６ｊ、１６ｒ）および第２の開口部（１６ｋ、１６ｓ）での空気の出入りがスムーズになり、送風手段（２７）の負荷も低減できる。また、隙間（１６ｈ、１８ｄ）を有しているので、空気が循環する過程で効率よく空気が循環するようにでき、空気を足（２００）に行き渡らせることができる。
【００２０】
請求項３に記載の発明では、請求項２において、隙間（１６ｈ、１８ｄ）が、挿入口（１１ａ）手前まで形成されていることを特徴とする。
【００２１】
これによれば、隙間（１６ｈ、１８ｄ）が、挿入口（１１ａ）手前まで形成されているので、電源装置（２５）によって送風手段（２７）が作動し、空気流通路（１０１、１０４）と靴内部空間（１１ｄ）の間で、空気が循環するように送風される際に、上記空気が挿入口（１１ａ）から逃げにくくなる。その結果、臭い低減手段が繰り返し循環する空気に作用するので、効率的に臭いを低減できる。
【００２２】
請求項４に記載の発明では、足（２００）を挿入する挿入口（１１ａ）を有する靴であって、
靴内部空間（１１ｄ）に一端が開口し、他端が外気に開口して空気が流通する空気流通路（１０３）が形成されており、
空気流通路（１０３）内および靴内部空間（１１ｄ）内のうち、少なくとも一方において空気の臭いを低減する臭い低減手段を備えており、
さらに、空気流通路（１０３）内の空気を一端側および他端側のどちらか一方から他方に送風する送風手段（２７）と、
送風手段（２７）を作動させる電源装置（２５）とを備え、
臭い低減手段は、芳香を付与する芳香付与手段（２４）と、消臭手段（３４、３５）のうち、少なくとも１つにより構成されていることを特徴とする。
【００２３】
ここで、上記請求項４による作用、効果を以下（ａ）〜（ｂ）の場合に分けて説明する。
（ａ）臭い低減手段が芳香付与手段（２４）のみで構成されている場合で、空気流通路（１０３）の一端側（靴内部空間（１１ｄ）側）から他端側（外気側）に送風する場合。
（ｂ）臭い低減手段が芳香付与手段（２４）のみで構成されている場合で、空気流通路（１０３）の他端側（外気側）から一端側（靴内部空間（１１ｄ）側）に送風する場合。
（ｃ）臭い低減手段が消臭手段（３４、３５）のみで構成されている場合で、空気流通路（１０３）の一端側（靴内部空間（１１ｄ）側）から他端側（外気側）に送風する場合。
（ｄ）臭い低減手段が消臭手段（３４、３５）のみで構成されている場合で、空気流通路（１０３）の他端側（外気側）から一端側（靴内部空間（１１ｄ）側）に送風する場合。
【００２４】
上記（ａ）の場合には、靴内部空間（１１ｄ）内および靴内部空間（１１ｄ）内のどちらか一方の空気に芳香が付与され、送風手段（２７）が作動すると、靴内部空間（１１ｄ）内の空気が空気流通路（１０３）を経由して、外気に送風される。その際、挿入口（１１ａ）から外気を吸い込むことができる。その結果、靴内部空間（１１ｄ）に悪臭があっても、靴内部空間（１１ｄ）の空気が外気に送風される際に、防臭することができ、しかも挿入口（１１ａ）からの外気によって換気がなされ、靴内部空間（１１ｄ）の臭いを低減することができる。
【００２５】
また、上記（ｂ）の場合には、靴内部空間（１１ｄ）内および靴内部空間（１１ｄ）内のどちらか一方の空気に芳香が付与され、送風手段（２７）が作動すると、外気が空気流通路（１０３）を経由して、靴内部空間（１１ｄ）に送風される。その際、挿入口（１１ａ）から靴内部空間（１１ｄ）の空気が排出される。その結果、靴内部空間（１１ｄ）を換気しつつ、靴内部空間（１１ｄ）を防臭することができる。
【００２６】
また、上記（ｃ）の場合には、靴内部空間（１１ｄ）内および靴内部空間（１１ｄ）内のどちらか一方の空気が消臭され、送風手段（２７）が作動すると、靴内部空間（１１ｄ）内の空気が空気流通路（１０３）を経由して、外気に送風される。その際、挿入口（１１ａ）から外気を吸い込むことができる。その結果、靴内部空間（１１ｄ）に悪臭があっても、靴内部空間（１１ｄ）の空気が外気に送風される際に、消臭することができ、しかも挿入口（１１ａ）からの外気によって換気がなされ、靴内部空間（１１ｄ）の臭いを低減することができる。
【００２７】
また、上記（ｄ）の場合には、靴内部空間（１１ｄ）内および靴内部空間（１１ｄ）内のどちらか一方の空気が消臭され、送風手段（２７）が作動すると、外気が空気流通路（１０３）を経由して、靴内部空間（１１ｄ）に送風される。その際、その際、挿入口（１１ａ）から靴内部空間（１１ｄ）の空気が排出される。その結果、靴内部空間（１１ｄ）を換気しつつ、靴内部空間（１１ｄ）を消臭することができる。
【００２８】
上記（ａ）〜（ｄ）のいずれの場合も、電源装置（２５）によって送風手段（２７）を作動させているので、歩行時でなくとも、靴内部空間（１１ｄ）の臭いを低減することができる。なお、臭い低減手段は、芳香を付与する芳香付与手段（２４）と、消臭手段（３４、３５）の両方により構成されていてもよい。
【００２９】
請求項５に記載の発明のように、請求項４において、空気流通路（１０３）の一端側が靴内部空間（１１ｄ）に開口する靴内開口部（１６ｎ）で構成され、空気流通路（１０３）の他端側が外気に開口する外気開口部（１４ｂ）で構成されていてもよい。
【００３０】
請求項６に記載の発明では、請求項５において、靴内部空間（１１ｄ）を形成する靴内側表面（１０２）に、足（２００）が挿入された際に、足（２００）に隙間（１６ｈ、１８ｄ）を有して空気を配風する配風溝（１６ｅ、１８ｃ）が形成されており、
配風溝（１６ｅ、１８ｃ）に、靴内開口部（１６ｎ）が開口していることを特徴とする。
【００３１】
これによれば、足（２００）に隙間（１６ｈ、１８ｄ）を有して空気を配風する配風溝（１６ｅ、１８ｃ）が形成されているので、足（２００）によって靴内開口部（１６ｎ）が塞がれない。その結果、靴内開口部（１６ｎ）での空気の出入りがスムーズになり、送風手段（２７）の負荷も低減できる。また、隙間（１６ｈ、１８ｄ）を有しているので、空気を足（２００）に行き渡らせることができる。
【００３２】
請求項７に記載の発明のように、請求項４において、空気流通路（１０３）とは別に、第２の空気流通路（１０５）が形成されており、
第２の空気流通路（１０５）は、一端側が靴内部空間（１１ｄ）に開口する第２の靴内開口部（１６ｔ）で構成され、他端側が外気に開口する第２の外気開口部（１５ｈ）で構成されていてもよい。
【００３３】
請求項８に記載の発明では、請求項７において、靴内部空間（１１ｄ）を形成する靴内側表面（１０２）に、足（２００）が挿入された際に、足（２００）に隙間（１６ｈ、１８ｄ）を有して空気を配風する配風溝（１６ｅ、１８ｃ）が形成されており、
配風溝（１６ｅ、１８ｃ）に、靴内開口部（１６ｎ）および第２の靴内開口部（１６ｔ）が開口していることを特徴とする。
【００３４】
これによれば、足（２００）に隙間（１６ｈ、１８ｄ）を有して空気を配風する配風溝（１６ｅ、１８ｃ）が形成されているので、足（２００）によって靴内開口部（１６ｎ）および第２の靴内開口部（１６ｔ）が塞がれない。その結果、靴内開口部（１６ｎ）および第２の靴内開口部（１６ｔ）での空気の出入りがスムーズになり、送風手段（２７）の負荷も低減できる。また、隙間（１６ｈ、１８ｄ）を有しているので、空気を足（２００）に行き渡らせることができる。
【００３５】
請求項９に記載の発明では、請求項６乃至請求項８のいずれか１つにおいて、隙間（１６ｈ、１８ｄ）が、挿入口（１１ａ）まで形成されていることを特徴とする。
【００３６】
これによれば、隙間（１６ｈ、１８ｄ）が、挿入口（１１ａ）まで形成されているので、靴内部空間（１１ｄ）の換気を急速に行うことができ、しかも、送風手段（２７）の負荷を低減できる。
【００３７】
請求項１０に記載の発明では、請求項１乃至請求項９のいずれか１つにおいて、靴内部空間（１１ｄ）の靴内部臭い度（Ｓ１）を検出する靴内部臭い度検出手段（３０）と、
靴内部臭い度検出手段（３０）により検出される靴内部臭い度（Ｓ１）と、所定の臭い度（ＳＳ）との比較結果に基づいて送風手段（２７）の作動および停止のどちらか一方をさせる制御手段（２９ａ）とを備えており、
制御手段（２９ａ）は、靴内部臭い度（Ｓ１）が所定の臭い度（ＳＳ）以上の場合および所定の臭い度（ＳＳ）を超える場合のいずれか一方の場合にのみ、送風手段（２７）を作動させるように制御する機能を有していることを特徴とする。
【００３８】
これによれば、靴内部臭い度（Ｓ１）が所定の臭い度（ＳＳ）以上の場合および所定の臭い度（ＳＳ）を超える場合のいずれか一方の場合にのみ、送風手段（２７）を作動させているので、外気が「所定の臭い度（ＳＳ）以上の場合および所定の臭い度（ＳＳ）を超える場合」との条件を満たしていなければ、靴内部臭い度（Ｓ１）を所定の臭い度（ＳＳ）未満または所定の臭い度（ＳＳ）以下に自動制御することができる。
【００３９】
また、所定の臭い度（ＳＳ）を、操作者の不快と感じる臭い度と不快と感じない臭い度の間で設定すると、靴内部臭い度（Ｓ１）が操作者が不快と感じるような、所定の臭い度（ＳＳ）以上の場合および所定の臭い度（ＳＳ）を超える場合のいずれか一方の場合に、送風手段（２７）を作動させることができ、靴内部空間（１１ｄ）の靴内部臭い度（Ｓ１）を不快と感じないようにできる。
【００４０】
また、靴内部臭い度（Ｓ１）が、上記条件、すなわち、「所定の臭い度（ＳＳ）以上の場合および所定の臭い度（ＳＳ）を超える場合のいずれか一方の場合」という条件を満たさない場合は、送風手段（２７）を停止することができる。その結果、換気をし続ける場合に比べて、省エネができる。
【００４１】
請求項１１に記載の発明のように、請求項１０において、靴内部臭い度（Ｓ１）が所定の臭い度（ＳＳ）以下および所定の臭い度（ＳＳ）未満のいずれか一方であっても、送風する機能を有していてもよい。
【００４２】
請求項１２に記載の発明のように、請求項１１において、所定の臭い度（ＳＳ）が、下限臭い度および上限臭い度の範囲で構成されており、
制御手段（２９ａ）は、少なくとも、靴内部臭い度（Ｓ１）が上限臭い度以上の場合および上限臭い度を超える場合のいずれか一方の場合には、送風手段（２７）を作動させるように制御し、少なくとも、靴内部臭い度（Ｓ１）が下限臭い度以下の場合および下限臭い度未満の場合のいずれか一方の場合には、送風手段（２７）を停止させるように制御する機能を有していてもよい。
【００４３】
請求項１３に記載の発明では、請求項１０乃至請求項１２のいずれか１つにおいて、所定の臭い度（ＳＳ）を入力する入力手段（ＳＷ７、ＳＷ８）と、
入力手段（ＳＷ７、ＳＷ８）によって入力された所定の臭い度（ＳＳ）を表示する所定臭い度表示手段（ＤＰ１）と、
靴内部臭い度（Ｓ１）を表示する靴内部臭い度表示手段（ＤＰ２）とを備えたことを特徴とする。
【００４４】
これによれば、所定の臭い度（ＳＳ）を入力する入力手段（ＳＷ７、ＳＷ８）を備えているので、操作者に臭さを感じ取れる個人差があっても、任意に所定の臭い度（ＳＳ）を入力することができる。
【００４５】
請求項１４に記載の発明では、請求項４乃至請求項１３のいずれか１つにおいて、空気流通路（１０３）の両端のうち、一端側から他端側に送風する排気モード（Ｍ３、Ｍ４）と、他端側から一端側に送風する送風モード（Ｍ５、Ｍ６）とを有しており、
排気モード（Ｍ３、Ｍ４）と送風モード（Ｍ５、Ｍ６）とを選択するモード選択手段（ＳＷ６）を備えていることを特徴とする。
【００４６】
これによれば、操作者がモード選択手段（ＳＷ６）によって、排気モード（Ｍ３、Ｍ４）と送風モード（Ｍ５、Ｍ６）とを任意に選択できる。
【００４７】
請求項１５に記載の発明では、請求項１乃至請求項１４のいずれか１つにおいて、空気流通路（１０１、１０３、１０４、１０５）を遮蔽する遮蔽手段を備えていることを特徴とする。
【００４８】
これによれば、遮蔽手段によって、空気流通路（１０１、１０３、１０４、１０５）を遮蔽できるので、空気流通路（１０１、１０３、１０４、１０５）から靴内部空間（１１ｄ）に雨水が浸入しにくくするようにできる。
【００４９】
因みに、上記各手段のかっこ内の符号は、後述する実施形態に記載の具体的手段との対応関係を示す一例である。
【発明を実施するための最良の形態】
【００５０】
（第１実施形態）
第１実施形態を説明するにあたり、本発明の臭い低減手段について説明する。本発明における臭い低減手段は、本発明の芳香付与手段と、本発明の消臭手段の少なくとも一方から構成されるものである。上記芳香付与手段は、後述する芳香剤または防臭剤で構成される。また、上記消臭手段は、後述する消臭剤または脱臭剤で構成される。なお、以下で説明する「臭い」とは、鼻にくさく感じられる「におい」を言い、「悪臭」と同意であるものとする。
【００５１】
次に、上記芳香剤、消臭剤、脱臭剤、防臭剤について説明する。芳香剤とは、空間に芳香を付与するものである。防臭剤とは、臭気を他の香り等でマスキングする（包み隠す）ものである。消臭剤とは、臭気を化学的、生物的作用等で除去または緩和するもので、具体的には、植物抽出物を主成分とするもの、活性炭を主成分とするものがある。脱臭剤とは、臭気を物理的作用で除去または緩和するものである。
【００５２】
なお、周知のように、上記各剤は、どれか１つの機能のみを有するものであるとは限らない。例えば、ラベンダーを乾燥させたものは、芳香剤としての機能を有するが殺菌、抗菌機能を兼ね備えているものがある。そこで、本発明では、例えば、殺菌剤、抗菌剤であっても、芳香剤としての機能があれば、芳香剤に位置付けされるものとする。消臭剤としての機能があれば、消臭剤に位置付けされるものとする。
【００５３】
また、以下で説明する配風溝１８ｃであるが、挿入口１１ａ手前まで形成されている場合を図２９に、挿入口１１ａまで形成されている場合を図３０に示す。なお、図２９、図３０のように配風溝１８ｃを描くと図が複雑になり、分かりにくくなるので、図１、図９、図１５、図２０、図２４、図２５、図２６では、配風溝１８ｃの一部を省略して図示するものとする。
【００５４】
以下、第１実施形態について説明する。詳細は後述するが、第１実施形態は、靴内部空間に靴内開口部が開口した空気流通路と、足底板の配風空間とで、芳香が付与された空気が循環できるように構成されたものである。図１は本発明の第１実施形態の臭い低減靴１００の断面正面図を、図２は空気の送風経路を説明する一部断面平面図を、図３は足底板の断面図を、図４は臭い低減靴を足底板上方から見た平面図を示している。
【００５５】
臭い低減靴１００のうち靴本体部１１は、図１に示すように、足２００を挿入する挿入口１１ａを有しており、足２００の足裏部２００ａを支持する底部１２と、足２００の甲部２００ｂ等を覆うアッパー１３から構成されている。なお、以下の説明において、靴本体部１１のうち、足２００のつま先部２００ｃ側の端部を靴先端部１１ｂ、足２００のかかと部２００ｄ側の端部を靴後端部１１ｃ、底部１２とアッパー１３とで囲まれる領域を靴内部空間１１ｄ、靴内部空間１１ｄのうち、足２００のつま先部２００ｃ近傍を足先部空間１１ｅと称するものとする。
【００５６】
底部１２は路面と直接接地するアウトソール１４、アウトソール１４の上側に貼り合わされ、着地時の衝撃を緩和するミッドソール１５、さらにミッドソール１５の上側に配置され、足２００を支持する足底板１６から構成されている。
【００５７】
ここで、本発明の空気流通路１０１について説明する。ミッドソール１５の上面１５ａには、図１、図２に示すように、上側に開口する溝部１５ｂが形成されており、この溝部１５ｂと、後述する低減ユニット本体部２２の第１開口部２２ｂとを連通する連通路１５ｃが形成されている。
【００５８】
また、足底板１６の下面１６ａには、図１、図３、図４に示すように、下側に開口する開口部１６ｂ、開口部１６ｃが形成されている。
【００５９】
上記開口部１６ｂは、靴先端部１１ｂ側に所定間隔を有して複数形成されており、上記ミッドソール１５の溝部１５ｂに開口している。上記開口部１６ｃは、靴後端部１１ｃ側に形成され、後述する低減ユニット本体部２２の第２開口部２２ｃに開口している。
【００６０】
また、上記足底板１６の上面１６ｄには、径方向断面が矩形で、靴内部空間１１ｄ側に開口して直交する配風溝１６ｅが形成されている。上記開口部１６ｂと上記配風溝１６ｅとの間には、開口部１６ｂと配風溝１６ｅとを連通する連通穴１６ｆが、上記開口部１６ｃと上記配風溝１６ｅとの間には、開口部１６ｃと配風溝１６ｅとを連通する連通穴１６ｇが形成されている。連通穴１６ｇは、連通穴１６ｆと区別するために、図４において、●印で示した。
【００６１】
なお、以下の説明において、配風溝１６ｅに形成される空間を隙間１６ｈ、連通穴１６ｆのうち、靴内部空間１１ｄ側に形成される開口部位を靴内開口部１６ｊ、連通穴１６ｇのうち、靴内部空間１１ｄ側に形成される開口部位を靴内開口部１６ｋと称するものとする。靴内開口部１６ｊは本発明の第１の開口部を、靴内開口部１６ｋは本発明の第２の開口部を構成する。
【００６２】
したがって、上記構成によれば、後述する低減ユニット本体部２２の送風機２７が図１の紙面上方から見て、反時計回りに作動すると、靴内部空間１１ｄにおける靴内部空間１１ｄの悪臭を伴った空気は、足底板１６の靴内開口部１６ｊから吸い込まれ、連通穴１６ｆ、開口部１６ｂ、ミッドソール１５の溝部１５ｂ、連通路１５ｃ、低減ユニット本体部２２の第１開口部２２ｂ、後述する送風路２２ａ、第２開口部２２ｃ、足底板１６の開口部１６ｃ、連通穴１６ｇの順に送風され、靴内開口部１６ｋから吐出される。
【００６３】
そして、靴内開口部１６ｋから吐出された空気は、足裏部２００ａに吹き付けられながら、配風溝１６ｅの隙間１６ｈを経由して再び足底板１６の靴内開口部１６ｊから吸い込まれる。
【００６４】
上記足底板１６の靴内開口部１６ｊから靴内開口部１６ｋに至る経路は、本発明の空気流通路１０１を構成する。上記構成によれば、送風機２７が作動した際に、空気流通路１０１と、靴内部空間１１ｄとで空気が循環するように流れる。
【００６５】
また、アッパー１３は、図１に示すように、表革１７、裏革１８を縫製して形成されており、裏革１８の靴内部空間１１ｄ側の裏革表面１８ａには突出部１８ｂが接着されている。なお、以下の説明において、突出部１８ｂが接着されることによって形成される溝を配風溝１８ｃ、配風溝１８ｃに形成される空間を隙間１８ｄと称するものとする。上記配風溝１８ｃは、挿入口１１ａ手前まで形成されている。
【００６６】
なお、上記足底板１６、裏革１８、突出部１８ｂから形成される靴の内側部位を、靴内側表面１０２と称するものとする。
【００６７】
次に、低減装置１９について説明する。アウトソール１４とミッドソール１５の間には、靴内部空間１１ｄ内の臭いを低減する低減装置１９が配置されており、上記低減装置１９は低減ユニット２０、制御ユニット２１より構成されている。
【００６８】
最初に、低減ユニット２０について説明する。低減ユニット２０は、低減ユニット本体部２２、低減器２３、電源装置２５、フタ部２６、送風機２７により構成されている。以下、具体的に説明する。
【００６９】
低減ユニット本体部２２には、図５、図６に示すように、上側にＵ字状に開放するように形成され、空気を送風する送風路２２ａが形成されている。送風路２２ａのうち、靴先端部１１ｂ側には、ミッドソール１５の連通路１５ｃに開口する第１開口部２２ｂが、靴後端部１１ｃ側には、足底板１６の開口部１６ｃに開口する第２開口部２２ｃが形成されている。
【００７０】
上記低減ユニット本体部２２は、アルミ合金製で、後述する低減器２３、送風機２７が破損しにくい強度を有している。チタン合金、マグネシウム合金を用いてもよい。
【００７１】
上記送風路２２ａのうち、靴先端部１１ｂ側から靴後端部１１ｃに伸びるように形成された部位を水平部位２２ｄと称するものとすると、上記水平部位２２ｄの靴後端部１１ｃ側には、送風路２２ａ内の空気を靴内部空間１１ｄに送風する送風機２７が配置されている。送風機２７は本発明の送風手段を構成するものであって、第１実施形態では、貫流式のものを用いている。
【００７２】
また、送風機２７の空気流れ上流側には、送風路２２ａの水平部位２２ｄの下側に面する位置に低減器２３が配置されており、送風路２２ａの水平部位２２ｄの上側に電源装置２５が配置されている。
【００７３】
低減器２３は、内側に芳香付与剤２４を入れて保持するもので、低減ユニット本体部２２の送風路２２ａ側に複数の孔部２３ａが形成されている。孔部２３ａから上記送風路２２ａ内の空気に芳香付与剤２４の芳香を付与することができる。
【００７４】
上記芳香付与剤２４は、臭気を他の香り等でマスキングする（包み隠す）ものであり、具体的には、ラベンダーを乾燥させたものである。上記ラベンダー以外の植物より抽出された精油、樹脂からなる植物香料、合成香料を用いてもよい。動物から得られる天然香料でもよい。上記植物香料の精油は、柑橘類の果皮を圧搾したもの、有機溶剤により抽出された花の精油であってもよい。また、檜を細かくしたものでもよい。上記精油の場合は、図示はしないが、綿状の含浸部材に含浸させて使用する。
【００７５】
芳香付与剤２４は、第１実施形態の最初で説明した芳香剤、消臭剤、脱臭剤、防臭剤のうち、少なくとも芳香剤または防臭剤の機能を備えたもので、本発明の芳香付与手段を構成する。
【００７６】
したがって、上記構成によれば、送風機２７が作動すると、送風路２２ａにおいて芳香を付与された空気が足底板１６の靴内開口部１６ｋから吐出される。
【００７７】
電源装置２５は、送風機２７、制御ユニット２１に電気を供給するもので、電池２５ａ、安全装置２５ｂから構成されている。上記電池２５ａは、２次電池を使用しており、安全用回路を内蔵した安全装置２５ｂを備えている。１次電池を使用してもよい。電源装置２５は、フタ部２６により密閉される。
【００７８】
次に、制御ユニット２１、操作盤３２について説明する。
【００７９】
制御ユニット２１は、制御部本体部２８、制御基板２９から構成されており、制御部本体部２８には制御基板２９が内蔵されている。そして、上記制御基板２９は、図７に示すように、送風機２７を制御、作動させる制御回路２９ａを搭載している。制御回路２９ａは、本発明の制御手段を構成する。
【００８０】
また、操作盤３２は、図８に示すように、操作部３２ａと、表示部３２ｂとから構成されている。
【００８１】
操作部３２ａには、開始スイッチＳＷ１、停止スイッチＳＷ２、自動スイッチＳＷ３、手動スイッチＳＷ４、風量切換スイッチＳＷ５が設けられている。
【００８２】
上記開始スイッチＳＷ１は運転を開始する。また、停止スイッチＳＷ２は運転を停止する。
【００８３】
自動スイッチＳＷ３は自動運転を行う。自動スイッチＳＷ３を押すと、送風機２７を、図１の紙面上方から見て反時計回りに、作動させる。送風機２７は、所定時間経過後、停止する。
【００８４】
手動スイッチＳＷ４は、手動運転を行う。手動スイッチＳＷ４を押すと、強制的に送風機２７を作動させる。停止スイッチＳＷ２を押すことにより送風機２７を停止させる。上記自動スイッチＳＷ３、手動スイッチＳＷ４は、本発明の切換手段を構成する。
【００８５】
風量切換スイッチＳＷ５は風量の切り換えを行うものであり、風量切換スイッチＳＷ５を押すごとに強風と弱風の２つの切り換えを行う。
【００８６】
また、表示部３２ｂには、自動ランプＬＰ１、手動ランプＬＰ２、運転中表示ランプＬＰ３、バッテリ表示ランプＬＰ４が設けられている。
【００８７】
自動ランプＬＰ１は自動運転時に、手動ランプＬＰ２は手動運転時に、運転中表示ランプＬＰ３は、送風機２７が作動しているときに点灯表示する。バッテリ表示ランプＬＰ４は、電池２５ａが所定電圧以上で点灯表示する。
【００８８】
自動ランプＬＰ１は、本発明の自動運転表示手段を、手動ランプＬＰ２は本発明の手動運転表示手段を、運転中表示ランプＬＰ３は、本発明の運転中表示手段を構成する。
【００８９】
なお、自動運転による制御方式を自動低減モードＭ１、手動運転による制御方式を手動低減モードＭ２と称するものとする。
【００９０】
また、上記説明では、送風機２７が図１の紙面上方から見て、反時計回りに作動する場合について説明したが、送風機２７を、図１の紙面上方から見て、時計回りに作動してもよい。
【００９１】
上記構成によれば、送風機２７を作動させると、空気流通路１０１と、靴内部空間１１ｄとの間で空気が循環するように構成されており、空気が循環する際に、芳香付与剤２４から芳香が付与されるようになっている。芳香付与剤２４には消臭剤としての機能、あるいは殺菌、抗菌機能を兼ね備えたラベンダーを用いており、空気が循環するうちに、イソ吉草酸、イソ酪酸、白癬菌等による臭みを消臭、殺菌しつつ、防臭する。上記送風機２７は、電源装置２５から電気を供給して作動させているので、歩行時でなくとも、靴内部空間１１ｄに芳香物質が放出された空気を送風して、靴内部空間１１ｄを防臭することができる。
【００９２】
また、配風溝１６ｅに靴内開口部１６ｊおよび靴内開口部１６ｋが開口しているので、足２００によって靴内開口部１６ｊおよび靴内開口部１６ｋが塞がれない。その結果、靴内開口部１６ｊおよび靴内開口部１６ｋでの空気の出入りがスムーズになり、送風機２７の負荷も低減できる。また、隙間１６ｈ、１８ｄを有しているので、空気が循環する過程で効率よく空気が循環するようにでき、空気を足２００に行き渡らせることができる。
【００９３】
さらに、配風溝１８ｃが、挿入口１１ａ手前まで形成されているので、送風機２７が作動し、空気流通路１０１、１０４と靴内部空間１１ｄの間で、空気が循環するように送風される際に、上記空気が挿入口１１ａから逃げにくくなる。その結果、臭い低減手段が繰り返し循環する空気に作用するので、効率的に臭いを低減できる。
【００９４】
さらに、操作者が風量切換スイッチＳＷ５によって、空気流通路１０１内の空気の風量を任意に切り換えることができる。
【００９５】
（第２実施形態）
第１実施形態では、臭い低減手段に、芳香付与剤（芳香付与手段）を用いたが、臭い低減手段に、消臭剤、脱臭剤を用いてもよい。詳細な説明は省略するが、第１実施形態で説明した図１〜図８の芳香付与剤２４を消臭剤３４または脱臭剤３５に置き換えたものである。消臭手段３４、脱臭剤３５は、図１〜図８のうち、該当する図において、芳香付与剤２４の近傍に３４、３５と記した。なお、各制御モードは、第１実施形態と同様に構成される。消臭剤３４、脱臭剤３５は、本発明の消臭手段を構成する。
【００９６】
第１実施形態では、靴内部空間１１ｄ、空気流通路１０１の空気に芳香を付与して悪臭等を防臭したが、第２実施形態では、悪臭等そのものを消臭するので、靴内部空間１１ｄの空気の悪臭等そのものを除去、または軽減することができる。
【００９７】
（第３実施形態）
第３実施形態を説明するにあたり、靴内部空間１１ｄから空気流通路１０３を経由し、外気に送風する（される）ことを単に「送風する（される）」もしくは、「排気する（される）」と表現してもよいものとする。
【００９８】
第１実施形態では、空気流通路１０１のうち、靴内開口部１６ｊ、靴内開口部１６ｋの両方を靴内部空間１１ｄに開口するようにして、空気流通路１０１と、足底板１６の隙間１６ｈとで、空気を循環するようにしたが、第３実施形態では、空気流通路の一端が靴内部空間１１ｄに、他端が外気に開口しており、空気流通路の一端側（靴内部空間１１ｄ側）から他端側（外気側）に排気する、もしくは、空気流通路の他端側（外気側）から一端側（靴内部空間１１ｄ側）に送風するようにした。
【００９９】
最初に、本発明の空気流通路１０３について説明する。図９、図１０に示すように、低減ユニット本体部２２の送風路２２ａのうち、第２開口部２２ｃは、靴後端部１１ｃ側に向かって伸びるように形成されており、後述するアウトソール１４の連通路１４ａに開口している。なお、第１開口部２２ｂは、第１実施形態と同様に構成されている。
【０１００】
アウトソール１４のうち、靴後端部１１ｃ側には、上記低減ユニット本体部２２の第２開口部２２ｃと、外気とを連通する連通路１４ａが形成されている。なお、アウトソール１４の連通路１４ａのうち、外気側の開口部を外気開口部１４ｂと称するものとする。
【０１０１】
第３実施形態に示す足底板１６は、図１１、図１２に示すように、開口部１６ｂ、配風溝１６ｅ、連通穴１６ｍ、隙間１６ｈ、靴内開口部１６ｎが形成されている。上記連通穴１６ｍ、靴内開口部１６ｎは、それぞれ、第１実施形態の連通穴１６ｆ、靴内開口部１６ｊに相当する。
【０１０２】
なお、第１実施形態では、配風溝１８ｃが挿入口１１ａ手前まで形成されたが、第３実施形態では、配風溝１８ｃが挿入口１１ａまで形成されている。
【０１０３】
上記構成によれば、低減ユニット本体部２２の送風機２７が、図９の紙面上方から見て、反時計回りに作動すると、靴内部空間１１ｄにおける足２００の悪臭を伴った空気は、足底板１６の靴内開口部１６ｎから吸い込まれ、連通穴１６ｍ、開口部１６ｂ、ミッドソール１５の溝部１５ｂ、連通路１５ｃ、低減ユニット本体部２２の第１開口部２２ｂ、送風路２２ａ、第２開口部２２ｃ、アウトソール１４の連通路１４ａの順に流通し、アウトソール１４の外気開口部１４ｂから排気される。上記足底板１６の靴内開口部１６ｎから外気開口部１４ｂに至る経路は、本発明の空気流通路１０３を構成する。
【０１０４】
上記靴内部空間１１ｄの悪臭を伴った空気は、空気流通路１０３を流通する際に、低減器２３によって芳香が付与される。
【０１０５】
ところで、上記説明では、低減ユニット本体部２２の送風機２７が、図９の紙面上方から見て、反時計回りに作動する場合について説明したが、低減ユニット本体部２２の送風機２７は、図９の紙面上方から見て、時計回りにも作動できる。
【０１０６】
そこで、以下の説明に先立ち、操作盤３２の自動スイッチＳＷ３、手動スイッチＳＷ４を押すことによって選択される制御モードについて説明する。
【０１０７】
送風機２７を、図９の紙面上方から見て、反時計回りに作動し、靴内部空間１１ｄの空気が空気流通路１０３を流通し、外気開口部１４ｂから外気に排気するように制御する制御モードを排気モードと称するものとする。また、送風機２７を、図９の紙面上方から見て、時計回りに作動し、外気が空気流通路１０３を流通し、靴内開口部１６ｎから靴内部空間１１ｄに送風するように制御する制御モードを送風モードと称するものとする。
【０１０８】
上記排気モードは、自動運転により排気を行う場合と、手動運転により排気を行う場合に分けて、前者を自動排気モードＭ３、後者を手動排気モードＭ４と称するものとする。また、上記送風モードは、自動運転により送風を行う場合と、手動運転により送風を行う場合に分けて、前者を自動送風モードＭ５、後者を手動送風モードＭ６と称するものとする。
【０１０９】
次に、操作盤３２について説明する。第３実施形態における操作部３２ａ、表示部３２ｂの構成を図１３に、制御ブロック図を図１４に示す。
【０１１０】
操作盤３２の操作部３２ａは、図１３に示すように、第１実施形態と同様に構成されている。また、表示部３２ｂは、自動ランプＬＰ１、手動ランプＬＰ２、運転中表示ランプＬＰ３、バッテリ表示ランプＬＰ４の他に、排気運転表示ランプＬＰ５、送風運転表示ランプＬＰ６が設けられている。以下、相違点を説明する。
【０１１１】
自動スイッチＳＷ３を１回押すごとに、自動排気モードＭ３と自動送風モードＭ５が交互に選択される。開始スイッチＳＷ１を押して運転を開始する。
【０１１２】
また、手動スイッチＳＷ４を１回押すごとに、手動排気モードＭ４と手動送風モードＭ６が交互に選択される。開始スイッチＳＷ１を押して運転を開始する。
【０１１３】
自動排気モードＭ３が選択されると、自動ランプＬＰ１、排気運転表示ランプＬＰ５が点灯、手動ランプＬＰ２、送風運転表示ランプＬＰ６が消灯する。そして、開始スイッチＳＷ１を押して運転を開始すると、送風機２７が図９の紙面上方から見て、反時計回りに作動する。その結果、靴内部空間１１ｄの悪臭を伴った空気は、空気流通路１０３を流通し、上記空気流通路１０３の途中に設けられた低減器２３によって芳香が付与された後、外気に排気され、その際、新鮮な外気が、挿入口１１ａからアッパー１３の配風溝１８ｃに形成された隙間１８ｄを経由して靴内部空間１１ｄに供給される。
【０１１４】
自動送風モードＭ５が選択されると、自動ランプＬＰ１、送風運転表示ランプＬＰ６が点灯、手動ランプＬＰ２、排気運転表示ランプＬＰ５が消灯する。そして、開始スイッチＳＷ１を押して運転を開始すると、送風機２７が図９の紙面上方から見て、時計回りに作動する。その結果、外気は、空気流通路１０１を流通し、上記空気流通路１０３の途中に設けられた低減器２３によって芳香物質が放出された後、靴内部空間１１ｄに送風され、その際、靴内部空間１１ｄの悪臭を伴った空気が、アッパー１３の配風溝１８ｃに形成された隙間１８ｄを経由して、挿入口１１ａから外気に排出される。
【０１１５】
上記自動排気モードＭ３、自動送風モードＭ５では、所定時間経過後、送風機２７を停止させる。
【０１１６】
手動排気モードＭ４が選択されると、手動ランプＬＰ２、排気運転表示ランプＬＰ５が点灯、自動ランプＬＰ１、送風運転表示ランプＬＰ６が消灯する。そして、開始スイッチＳＷ１を押して運転を開始すると、送風機２７を強制的に、図９の紙面上方から見て、反時計回りに作動させる。空気の流れは、自動排気モードＭ３と同様で、停止スイッチＳＷ２を押すか、所定時間経過することにより送風機２７を停止させる。
【０１１７】
手動送風モードＭ６が選択されると、手動ランプＬＰ２、送風運転表示ランプＬＰ６が点灯、自動ランプＬＰ１、排気運転表示ランプＬＰ５が消灯する。そして、開始スイッチＳＷ１を押して運転を開始すると、送風機２７を強制的に、図９の紙面上方から見て、時計回りに作動させる。空気の流れは、自動送風モードＭ５と同様で、停止スイッチＳＷ２を押すか、所定時間経過することにより送風機２７を停止させる。
【０１１８】
なお、運転中表示ランプＬＰ３およびバッテリ表示ランプＬＰ４の点灯条件は、第１実施形態と同様である。
【０１１９】
上記構成によれば、靴内部空間１１ｄ側から空気流通路１０３を経由し、外気側に送風する場合は、靴内部空間１１ｄの空気が空気流通路１０３に送風され、芳香が付与された空気と混ざり合って外気に放出される。その際、挿入口１１ａから外気を吸い込むことができる。その結果、靴内部空間１１ｄに悪臭があっても、外気に放出される際に、防臭することができ、しかも挿入口１１ａからの外気によって換気がなされ、靴内部空間１１ｄの臭いを低減することができる。
【０１２０】
また、外気側から空気流通路１０３を経由し、靴内部空間１１ｄ側に送風する場合は、空気流通路１０３内で芳香が付与された空気が靴内部空間１１ｄに送風されるので、靴内部空間１１ｄを換気しつつ、靴内部空間１１ｄを防臭することができる。
【０１２１】
上記靴内部空間１１ｄ側から空気流通路１０３を経由し、外気側に送風する場合、外気側から空気流通路１０３を経由し、靴内部空間１１ｄ側に送風する場合、いずれの場合も、電源装置２５によって送風機２７を作動させているので、歩行時でなくとも、防臭することができる。
【０１２２】
また、配風溝１８ｃが挿入口１１ａまで形成されているので、挿入口１１ａにおいて空気の出入りが容易になる。その結果、防臭をしつつ、換気を急速に行うことができる。
【０１２３】
さらに、操作者が風量切換スイッチＳＷ５によって、空気流通路１０１内の空気の風量を任意に切り換えることができる。
【０１２４】
（第４実施形態）
第１実施形態では、靴先端部１１ｂ側から靴内部空間１１ｄの空気を吸入し、靴後端部１１ｃ側から吐出するようにしたが、後述する内足側の開口部から靴内部空間１１ｄの空気を吸入し、外足側の開口部から靴内部空間１１ｄに吐出するようにしてもよい。図１５は第４実施形態による臭い低減靴の断面正面図を、図１６は、空気流通経路を説明する一部断面平面図である。
【０１２５】
空気流通路の途中に低減器２３を設け、空気流通路と隙間１６ｈを循環させる点は第１実施形態と同様であるので、相違点である空気流通路について説明する。なお、説明にあたり、靴本体部１１の内側端部を内足端部１１ｆ、靴本体部１１の外側端部を外足端部１１ｇと称するものとする。
【０１２６】
最初に、ミッドソール１５、足底板１６について説明する。ミッドソール１５の上面１５ａには、図１６に示すように、上側に開口する溝部１５ｄ、溝部１５ｅが形成されており、この溝部１５ｄ、溝部１５ｅには、それぞれ後述する低減ユニット本体部２２の第１開口部２２ｅ、第２開口部２２ｆとを連通する連通路１５ｆ、連通路１５ｇが形成されている。
【０１２７】
また、足底板１６は、第３実施形態と同様であるが、後述の説明のため、第３実施形態の連通穴１６ｍに相当する部位のうち、内足端部１１ｆ側の部位を連通穴１６ｐ、外足端部１１ｇ側の部位を連通穴１６ｑと称するものとし、図１７において、連通穴１６ｑを連通穴１６ｐと区別して●印で示した。
【０１２８】
また、連通穴１６ｐのうち、靴内部空間１１ｄ側に形成される開口部位を靴内開口部１６ｒ、連通穴１６ｑのうち、靴内部空間１１ｄ側に形成される開口部位を靴内開口部１６ｓと称するものとする。靴内開口部１６ｒは本発明の第１の開口部を、靴内開口部１６ｓは本発明の第２の開口部を構成する。
【０１２９】
次に、低減ユニット本体部２２について説明する。図１８は第４実施形態による低減ユニットの正面断面図である。第１実施形態では、低減ユニット本体部２２の送風路２２ａは、靴先端部１１ｂ側に第１開口部２２ｂが、靴後端部１１ｃ側に第２開口部２２ｃが、それぞれ形成されていたが、第４実施形態では、図１９に示すように、送風路２２ａが靴先端部１１ｂ側にＵ字状に開放するように形成されており、第１開口部２２ｅと第２開口部２２ｆが並ぶように形成されている。
【０１３０】
上記構成において、低減ユニット本体部２２の送風機２７を、図１６の紙面上方から見て、反時計回りに作動させると、靴内部空間１１ｄにおける足２００の悪臭を伴った空気は、足底板１６の靴内開口部１６ｒから吸い込まれ、連通穴１６ｐ、開口部１６ｂ、ミッドソール１５の溝部１５ｄ、連通路１５ｆ、低減ユニット本体部２２の第１開口部２２ｅ、送風路２２ａ、第２開口部２２ｆ、ミッドソール１５の連通路１５ｇ、溝部１５ｅ、足底板１６の開口部１６ｂ、連通穴１６ｑの順に送風され、靴内開口部１６ｓから吐出される。
【０１３１】
そして、靴内開口部１６ｓから吐出された空気は、足裏部２００ａに吹き付けられながら、配風溝１６ｅの隙間１６ｈを経由して再び足底板１６の靴内開口部１６ｒから吸い込まれる。上記足底板１６の靴内開口部１６ｒから靴内開口部１６ｓに至る経路は、本発明の空気流通路１０４を構成する。
【０１３２】
上記構成によれば、靴内開口部１６ｒ（内足端部１１ｆ側）から空気を吸入し、靴内開口部１６ｓ（外足端部１１ｇ側）から空気を吐出するようにでき、第１実施形態と同様の効果を得ることができる。
【０１３３】
（第５実施形態）
第１実施形態〜第４実施形態では、臭いセンサを設けずに、送風機２７を作動させて空気流通路内の空気を靴内部空間１１ｄに送風、または外気に排気するようにしたが、第５実施形態では、靴内部空間１１ｄに臭いセンサを設け、この臭いセンサにより検出された靴内部臭いと、後述する設定臭い度との比較結果に基いて送風機２７を作動させるようにした。以下の説明では、主に、第３実施形態との相違点を説明する。なお、臭い低減手段には、消臭剤、脱臭剤を用いるものとする。
【０１３４】
最初に、臭いセンサ３０について説明する。臭いセンサ３０は、図２０に示すように、足底板１６のうち、靴先端部１１ｂ近傍に配置されたセンサボックス３１の内側に取り付けられ、足先部空間１１ｅ付近の靴内部臭い度Ｓ１を検出する。上記臭いセンサ３０は、本発明の靴内部臭い度検出手段を構成する。上記臭いセンサ３０は、複数で構成されていてもよい。
【０１３５】
なお、異なった特性を持つ複数の臭いセンサから、足先部空間１１ｅ付近のイソ吉草酸、イソ酪酸等を正確に分析する分析手段を用いることもできる。その場合、足先部空間１１ｅ付近の空気のうち、イソ吉草酸のみ、あるいは、イソ酪酸のみを検出できるので、臭い低減手段に、芳香付与剤２４を用いてもよい。
【０１３６】
次に、制御ユニット２１、臭いセンサ３０、操作盤３２について説明する。
【０１３７】
制御ユニット２１は、第１実施形態と同様に、制御部本体部２８、制御基板２９から構成されており、制御部本体部２８に制御基板２９が内蔵されている。上記制御基板２９には、制御回路２９ａが搭載されており、第５実施形態では、図２１に示すように、臭いセンサ３０によって検出される靴内部臭い度Ｓ１と、予めプログラムされた設定臭い度ＳＳとを比較し、所定のプログラムに基いて送風機２７を制御、作動させる機能を有している。上記設定臭い度ＳＳは本発明の所定の臭い度を構成する。
【０１３８】
操作盤３２は、第３実施形態と同様で、図１３に示すように、操作部３２ａと、表示部３２ｂとから構成されている。
【０１３９】
操作部３２ａには、第３実施形態と同様に、開始スイッチＳＷ１、停止スイッチＳＷ２、自動スイッチＳＷ３、手動スイッチＳＷ４、風量切換スイッチＳＷ５が設けられている。
【０１４０】
また、表示部３２ｂには、第３実施形態と同様に、自動ランプＬＰ１、手動ランプＬＰ２、運転中表示ランプＬＰ３、バッテリ表示ランプＬＰ４、排気運転表示ランプＬＰ５、送風運転表示ランプＬＰ６が設けられている。
【０１４１】
自動排気モードＭ３が選択されると、自動ランプＬＰ１、排気運転表示ランプＬＰ５が点灯、手動ランプＬＰ２、送風運転表示ランプＬＰ６が消灯する。そして、開始スイッチＳＷ１を押して運転を開始すると、臭いセンサ３０によって検出される靴内部臭い度Ｓ１と、予めプログラムされた設定臭い度ＳＳとを比較して、靴内部臭い度Ｓ１＞設定臭い度ＳＳの場合には、送風機２７が図２０の紙面上方から見て、反時計回りに作動する。その結果、靴内部空間１１ｄの悪臭を伴った空気は、空気流通路１０３を流通し、上記空気流通路１０３の途中に設けられた低減器２３によって芳香が付与された後、外気に排気され、その際、新鮮な外気が、挿入口１１ａからアッパー１３の配風溝１８ｃに形成された隙間１８ｄを経由して靴内部空間１１ｄに供給される。
【０１４２】
自動送風モードＭ５が選択されると、自動ランプＬＰ１、送風運転表示ランプＬＰ６が点灯、手動ランプＬＰ２、排気運転表示ランプＬＰ５が消灯する。そして、開始スイッチＳＷ１を押して運転を開始すると、臭いセンサ３０によって検出される靴内部臭い度Ｓ１と、予めプログラムされた設定臭い度ＳＳとを比較して、靴内部臭い度Ｓ１＞設定臭い度ＳＳの場合には、送風機２７が図２０の紙面上方から見て、時計回りに作動する。その結果、外気は、空気流通路１０１を流通し、上記空気流通路１０３の途中に設けられた低減器２３によって芳香物質が放出された後、靴内部空間１１ｄに送風され、その際、靴内部空間１１ｄの悪臭を伴った空気が、アッパー１３の配風溝１８ｃに形成された隙間１８ｄを経由して、挿入口１１ａから外気に排出される。
【０１４３】
上記自動排気モードＭ３、自動送風モードＭ５は、靴内部臭い度Ｓ１＜設定臭い度ＳＳの場合には、送風機２７を停止させる。送風機２７を作動時間が長い場合は所定時間停止させてもよい。
【０１４４】
手動排気モードＭ４が選択されると、手動ランプＬＰ２、排気運転表示ランプＬＰ５が点灯、自動ランプＬＰ１、送風運転表示ランプＬＰ６が消灯する。そして、開始スイッチＳＷ１を押して運転を開始すると、送風機２７を強制的に、図２０の紙面上方から見て、反時計回りに作動させる。空気の流れは、自動排気モードＭ３と同様で、停止スイッチＳＷ２を押すか、所定時間経過することにより送風機２７を停止させる。
【０１４５】
手動送風モードＭ６が選択されると、手動ランプＬＰ２、送風運転表示ランプＬＰ６が点灯、自動ランプＬＰ１、排気運転表示ランプＬＰ５が消灯する。そして、送風機２７を強制的に、図２０の紙面上方から見て、時計回りに作動させる。空気の流れは、自動送風モードＭ５と同様で、停止スイッチＳＷ２を押すか、所定時間経過することにより送風機２７を停止させる。
【０１４６】
上記構成によれば、靴内部臭い度Ｓ１＞設定臭い度ＳＳの場合に、送風機２７を作動させているので、外気が設定臭い度ＳＳ以下であれば、靴内部臭い度Ｓ１を設定臭い度ＳＳ以下に自動制御することができる。
【０１４７】
また、上記設定臭い度ＳＳを、操作者の不快と感じる臭い度と不快と感じない臭い度の間で設定することができ、靴内部空間１１ｄの靴内部臭い度Ｓ１を不快と感じないようにできる。
【０１４８】
さらに、靴内部臭い度Ｓ１＜設定臭い度ＳＳの場合には、送風機２７が作動しないので、省エネ運転できる。
【０１４９】
（第６実施形態）
第１実施形態〜第５実施形態では、設定臭い度ＳＳは、予めプログラミングされたが、設定臭い度ＳＳは、手動入力により設定してもよい。また、靴内部空間１１ｄの靴内部臭い度Ｓ１および設定臭い度ＳＳをデジタル表示するようにしてもよい。
【０１５０】
図２２、図２３に示すように、操作盤３２の操作部３２ａに、開始スイッチＳＷ１、停止スイッチＳＷ２、風量切換スイッチＳＷ５を第１実施形態と同様に設け、自動スイッチＳＷ３、手動スイッチＳＷ４の代わりに、モード選択スイッチＳＷ６を設け、さらに、設定臭い度ＳＳを手動入力する臭い度＋スイッチＳＷ７、臭い度−スイッチＳＷ８を設けた。モード選択スイッチＳＷ６は、本発明のモード選択手段を、臭い度＋スイッチＳＷ７、臭い度−スイッチＳＷ８は、本発明の入力手段を構成する。
【０１５１】
モード選択スイッチＳＷ６は、１回押すごとに、各制御モードＭ３〜Ｍ６を選択することができ、該当するモードに応じて、自動ランプＬＰ１、手動ランプＬＰ２、排気運転表示ランプＬＰ５、送風運転表示ランプＬＰ６が点灯、または消灯する。開始スイッチＳＷ１を押すことにより、運転を開始する。
【０１５２】
臭い度＋スイッチＳＷ７は、１回押すごとに、設定臭い度ＳＳを上昇させる。また、臭い度−スイッチＳＷ８は、１回押すごとに、設定臭い度ＳＳを下降させる。したがって、上記設定臭い度ＳＳは、例えば、操作者の不快と感じる臭い度と不快と感じない臭い度の間で任意に設定することができる。
【０１５３】
また、操作盤３２の表示部３２ｂに、臭い度＋スイッチＳＷ７、臭い度−スイッチＳＷ８により入力された設定臭い度ＳＳをデジタル表示する設定臭い度表示画面ＤＰ１と、靴内部臭い度Ｓ１をデジタル表示する靴内部臭い度表示画面ＤＰ２が設けられている。設定臭い度表示画面ＤＰ１は、本発明の所定臭い表示手段を、靴内部臭い度表示画面ＤＰ２は、本発明の靴内部臭い表示手段を構成する。
【０１５４】
上記構成によれば、設定臭い度ＳＳを入力する臭い度＋スイッチＳＷ７、臭い度−スイッチＳＷ８を備えているので、操作者に臭さを感じる個人差があっても、任意に設定臭い度ＳＳを入力することができる。しかも、靴内部臭い度Ｓ１、設定臭い度ＳＳを数値で確認することができる。
【０１５５】
（第７実施形態）
足２００が挿入口１１ａに挿入された際に、足２００を検出する足検出センサを設け、上記足検出センサが足２００を検出する場合のみ、運転を行うようにしてもよい。
【０１５６】
（第８実施形態）
第３実施形態では、アウトソール１４の外気開口部１４ｂを、靴後端部１１ｃ側に開口するようにしていたが、図２４に示すように、外気開口部３３をかかと上部に設けてもよい。外気開口部３３は、第３実施形態の外気開口部１４ｂに相当する。
【０１５７】
（第９実施形態）
第１実施形態〜第８実施形態では、制御ユニット２１を底部１２に設けたが、図２５に示すように、臭い低減靴１００の外側に設け、靴本体部１１と分離可能に構成してもよい。
【０１５８】
また、図示はしないが、電源装置２５を靴本体部１１の外側に設け、靴本体部１１と分離可能に構成してもよい。上記制御ユニット２１と、電源装置２５を一体に構成し、靴本体部１１と分離可能に構成してもよい。
【０１５９】
また、低減ユニット２０、制御ユニット２１、電源装置２５を靴本体部１１の外側に設け、靴本体部１１と分離可能に構成してもよい。上記送風ユニット２０、制御ユニット２１、電源装置２５を一体に構成し、靴本体部１１と分離可能に構成してもよい。
【０１６０】
また、操作盤３２を靴本体部１１と分離して構成し、操作盤３２と制御ユニット２１との間を無線通信させ、電源装置２５から電気が供給された制御ユニット２１によって、送風機２７を作動させてもよい。
【０１６１】
（第１０実施形態）
図２６に示すように、空気流通路１０３とは別に、空気流通路１０５を設けてもよい。上記空気流通路１０３は第３実施形態と同様に構成される。また、上記空気流通路１０５は、一端側が靴内部空間１１ｄに開口する靴内開口部１６ｔで構成され、他端側が外気に開口する外気開口部１５ｈで構成される。上記構成のように、空気流通路が複数あってもよい。上記靴内開口部１６ｔは第２の靴内開口部を、本発明の上記外気開口部１５ｈは本発明の第２の外気開口部を構成する。
【０１６２】
（第１１実施形態）
図２７、図２８に示すように、空気流通路の途中、または外気開口部において空気を遮蔽するシャッターを設けてもよい。以下、第１実施形態を例に、具体的に説明する。
【０１６３】
図２７に示すように、軸直角方向の断面が円状のシャフト３６の一端側に、ソレノイド３７が配置されている。ソレノイド３７は表面が絶縁された銅線３７ａを、芯材３７ｂに巻回したもので、通電すると磁力を発生する。銅線３７ａはカバー３８によって保護されている。
【０１６４】
また、ソレノイド３７と相対する位置には、上記シャフト３６の軸線方向に摺動する鉄製の可動部材３９が設けられている。上記ソレノイド３７と、上記可動部材３９との間には、スプリング４０が付設されている。ソレノイド３７が通電されないときは、スプリング４０によってソレノイド３７と可動部材３９との間に隙間が形成される。
【０１６５】
そして、ソレノイド３７が通電されると、図２８に示すように、可動部材３９がソレノイド３７の磁力によってスプリング４０の反発力に打ち勝ち、ソレノイド３７の方向に移動する。上記可動部材３９にはシャッター４１が取り付けられており、ソレノイド３７の方向に移動した際に空気流通路１０１を遮蔽することができる。
【０１６６】
上記シャフト３６、ソレノイド３７、カバー３８、可動部材３９、スプリング４０、シャッター４１は、本発明の遮蔽手段を構成する。
【０１６７】
上記構成によれば、空気流通路１０１を遮蔽することができるので、外部から空気流通路１０１を経由して靴内部空間に水が入りにくいようにできる。
【０１６８】
（その他の実施形態）
第１実施形態では、配風溝１８ｃが挿入口１１ａ手前まで形成されていたが、配風溝１８ｃが挿入口１１ａまで形成されていてもよい。上記構成によれば、挿入口１１ａでの空気の出入りが容易になる。その結果、靴内部空間１１ｄの防臭をしながら、急速に換気を行うことができ、送風機２７の負荷を少なくできる。なお、配風溝１８ｃが挿入口１１ａ手前まで形成され、この配風溝１８ｃと、外気とを連通する連通穴が形成されていても、同様の効果を得ることができる。
【０１６９】
また、第３実施形態では、配風溝１８ｃが挿入口１１ａまで形成されていたが、配風溝１８ｃが挿入口１１ａ手前まで形成されていてもよい。
【０１７０】
また、第５実施形態において、靴内部空間１１ｄに靴内部臭い度Ｓ１を検出する臭いセンサ３０を設け、設定臭い度ＳＳとの比較結果に基いて送風機２７を作動させるようにしたが、第１実施形態、第２実施形態、第４実施形態のものに、臭いセンサ３０を配置し、靴内部臭い度Ｓ１と、設定臭い度ＳＳとの比較結果に基いて送風機２７を作動させるようにしてもよい。
【０１７１】
また、第３実施形態では、靴内開口部１６ｎ、靴内開口部１６ｋを足底板１６に設けたが、アッパー１３に設けてもよい。
【０１７２】
また、第１実施形態では、送風機２７の作動条件を、靴内部臭い度Ｓ１＞設定臭い度ＳＳとしたが、靴内部臭い度Ｓ１≧設定臭い度ＳＳでもよい。また、送風機２７の停止条件を、靴内部臭い度Ｓ１＜設定臭い度ＳＳとしたが、靴内部臭い度Ｓ１≦設定臭い度ＳＳでもよい。
【０１７３】
また、送風機２７の作動、停止条件となる設定臭い度ＳＳを、下限臭い度と上限臭い度からなる範囲で構成し、制御回路２９ａは、少なくとも、靴内部臭い度Ｓ１が上限臭い度以上の場合および上限臭い度を超える場合のいずれか一方の場合には、送風機２７を作動させるように制御し、少なくとも、靴内部臭い度Ｓ１が下限臭い度以下の場合および下限臭い度未満の場合のいずれか一方の場合には、送風機２７を停止させるように制御する機能を有していてもよい。
【０１７４】
また、自動運転にて、送風機２７の作動と停止を交互にするようにしてもよい。
【図面の簡単な説明】
【０１７５】
【図１】本発明の第１実施形態、第２実施形態による臭い低減靴の断面正面図である。
【図２】図１の臭い低減靴の空気流通経路を説明する一部断面平面図である。
【図３】本発明の第１実施形態、第２実施形態による足底板の断面図である。
【図４】図１の臭い低減靴を足底板上方から見た平面図である。
【図５】本発明の第１実施形態、第２実施形態による低減ユニットの正面断面図である。
【図６】図５の平面断面図である。
【図７】本発明の第１実施形態、第２実施形態による制御ブロック図である。
【図８】本発明の第１実施形態、第２実施形態による操作盤の正面図である。
【図９】本発明の第３実施形態による臭い低減靴の断面正面図である。
【図１０】図９の臭い低減靴の空気流通経路を説明する図９の一部断面平面図である。
【図１１】本発明の第３実施形態による足底板の断面図である。
【図１２】図９の臭い低減靴を足底板上方から見た平面図である。
【図１３】本発明の第３実施形態、第５実施形態による操作盤の正面図である。
【図１４】本発明の第３実施形態による制御ブロック図である。
【図１５】本発明の第４実施形態による臭い低減靴の断面正面図である。
【図１６】図１５の臭い低減靴の空気流通経路を説明する図１５の一部断面平面図である。
【図１７】図１５の臭い低減靴を足底板上方から見た平面図である。
【図１８】本発明の第４実施形態による低減ユニットの正面断面図である。
【図１９】図１８の平面断面図である。
【図２０】本発明の第５実施形態による臭い低減靴の断面正面図である。
【図２１】本発明の第５実施形態による制御ブロック図である。
【図２２】本発明の第６実施形態による操作盤の正面図である。
【図２３】本発明の第６実施形態による制御ブロック図である。
【図２４】本発明の第８実施形態による臭い低減靴の断面正面図である。
【図２５】本発明の第９実施形態による臭い低減靴の断面正面図である。
【図２６】本発明の第１０実施形態による臭い低減靴の断面正面図である。
【図２７】本発明の第１１実施形態によるシャッターの断面正面図である。
【図２８】図２７のシャッターが遮蔽した際の断面正面図である。
【図２９】配風溝１８ｃの形状を説明する第１の説明図である。
【図３０】配風溝１８ｃの形状を説明する第２の説明図である。
【符号の説明】
【０１７６】
１１…靴本体部
１１ａ…挿入口
１１ｂ…靴先端部
１１ｃ…靴後端部
１１ｄ…靴内部空間
１１ｅ…足先部空間
１１ｆ…内足端部
１１ｇ…外足端部
１２…底部
１３…アッパー
１４…アウトソール
１４ａ…連通路
１４ｂ…外気開口部
１５…ミッドソール
１５ａ…上面
１５ｂ…溝部
１５ｃ…連通路
１５ｄ…溝部
１５ｅ…溝部
１５ｆ…連通路
１５ｇ…連通路
１５ｈ…外気開口部（第２の外気開口部）
１６…足底板
１６ａ…下面
１６ｂ…開口部
１６ｃ…開口部
１６ｄ…上面
１６ｅ…配風溝
１６ｆ…連通穴
１６ｇ…連通穴
１６ｈ…隙間
１６ｉ…（欠番）
１６ｊ…靴内開口部（第１の開口部）
１６ｋ…靴内開口部（第２の開口部）
１６ｌ…（欠番）
１６ｍ…連通穴
１６ｎ…靴内開口部
１６ｏ…（欠番）
１６ｐ…連通穴
１６ｑ…連通穴
１６ｒ…靴内開口部（第１の開口部）
１６ｓ…靴内開口部（第２の開口部）
１６t…靴内開口部（第２の靴内開口部）
１７…表革
１８…裏革
１８ａ…裏革表面
１８ｂ…突出部
１８ｃ…配風溝
１８ｄ…隙間
１９…低減装置
２０…低減ユニット
２１…制御ユニット
２２…低減ユニット本体部
２２ａ…送風路
２２ｂ…第１開口部
２２ｃ…第２開口部
２２ｄ…水平部位
２２ｅ…第１開口部
２２ｆ…第２開口部
２３…（欠番）
２３…低減器
２３ａ…孔部
２４…芳香付与剤（芳香付与手段、臭い低減手段）
２５…電源装置
２５ａ…電池
２５ｂ…安全装置
２６…フタ部
２７…送風機（送風手段）
２８…制御部本体部
２９…制御基板
２９ａ…制御回路（制御手段）
３０…臭いセンサ（靴内部臭い度検出手段）
３１…センサボックス
３２…操作盤、
３２ａ…操作部
３２ｂ…表示部
３３…外気開口部
３４…消臭剤（消臭手段、臭い低減手段）
３５…脱臭剤（消臭手段、臭い低減手段）
３６…シャフト
３７…ソレノイド
３７ａ…銅線
３７ｂ…芯材
３８…カバー
３９…可動部材
４０…スプリング
４１…シャッター
１００…臭い低減靴
１０１…空気流通路
１０２…靴内側表面
１０３…空気流通路
１０４…空気流通路
１０５…第２の空気流通路
２００…足
２００ａ…足裏部
２００ｂ…甲部
２００ｃ…つま先部
２００ｄ…かかと部
ＤＰ１…設定臭い度表示画面（所定臭い度表示手段）
ＤＰ２…靴内部臭い度表示画面（靴内部臭い度表示手段）
ＬＰ１…自動ランプ（自動運転表示手段）
ＬＰ２…手動ランプ（手動運転表示手段）
ＬＰ３…運転中表示ランプ（運転中表示手段）
ＬＰ４…バッテリ表示ランプ
ＬＰ５…排気運転表示ランプ
ＬＰ６…送風運転表示ランプ
Ｍ１…自動低減モード
Ｍ２…手動低減モード
Ｍ３…自動排気モード（排気モード）
Ｍ４…手動排気モード（排気モード）
Ｍ５…自動送風モード（送風モード）
Ｍ６…手動送風モード（送風モード）
Ｓ１…靴内部臭い度
ＳＳ…設定臭い度（所定の臭い度）
ＳＷ１…開始スイッチ
ＳＷ２…停止スイッチ
ＳＷ３…自動スイッチ（切換手段）
ＳＷ４…手動スイッチ（切換手段）
ＳＷ５…風量切換スイッチ
ＳＷ６…モード選択スイッチ（モード選択手段）
ＳＷ７…臭い度＋スイッチ
ＳＷ８…臭い度−スイッチ
【図１】
2007300946.tif 000003
【図２】
2007300946.tif 000004
【図３】
2007300946.tif 000005
【図４】
2007300946.tif 000006
【図５】
2007300946.tif 000007
【図６】
2007300946.tif 000008
【図７】
2007300946.tif 000009
【図８】
2007300946.tif 000010
【図９】
2007300946.tif 000011
【図１０】
2007300946.tif 000012
【図１１】
2007300946.tif 000013
【図１２】
2007300946.tif 000014
【図１３】
2007300946.tif 000015
【図１４】
2007300946.tif 000016
【図１５】
2007300946.tif 000017
【図１６】
2007300946.tif 000018
【図１７】
2007300946.tif 000019
【図１８】
2007300946.tif 000020
【図１９】
2007300946.tif 000021
【図２０】
2007300946.tif 000022
【図２１】
2007300946.tif 000023
【図２２】
2007300946.tif 000024
【図２３】
2007300946.tif 000025
【図２４】
2007300946.tif 000026
【図２５】
2007300946.tif 000027
【図２６】
2007300946.tif 000028
【図２７】
2007300946.tif 000029
【図２８】
2007300946.tif 000030
【図２９】
2007300946.tif 000031
【図３０】
2007300946.tif 000032